(57)【要約】【課題】複数のレンズとレンズ間に配置される遮光板を保持する鏡筒とを備えるレンズユニットにおいて、レンズの外径に追従可能な遮光板を実現する技術を提供する。【解決手段】レンズユニットは、広角レンズを構成するレンズ群と、レンズ群におけるレンズ間（第３レンズ２３と第４レンズ２４（レンズホルダ４））に挟まれて配置された絞り５２と、レンズ群および絞り５２とを光軸方向において物体側Ｌ１から像側Ｌ２に向かって収容する筒部（第２筒部３２）を備えた鏡筒３と、を有する。絞り５２の外周部分には、第２筒部３２に収容された際に第２筒部内周面６２との当接状況に応じて変形する変形部５２４を備える。【選択図】図５
2020030387.tif 000002
【特許請求の範囲】
【請求項１】
複数のレンズと、
前記複数のレンズにおけるレンズ間に挟まれて配置された遮光板と、
前記複数のレンズおよび前記遮光板を光軸方向において物体側から像側に向かって収容する筒部を備えた鏡筒と、
を有し、
前記遮光板の外周部分には、前記遮光板が前記筒部に収容された際に前記筒部の内周面との当接状況に応じて変形する変形部を備えることを特徴とするレンズユニット。
【請求項２】
前記遮光板に対して物体側で隣り合うレンズは、外周面の像側部分が、圧入状態において前記筒部の前記内周面と離間している形状であることを特徴とする請求項１に記載のレンズユニット。
【請求項３】
前記変形部は、前記遮光板と物体側で隣り合うレンズの像側の面に形成された載置面よりも径方向外側で形成されていることを特徴とする請求項１または２に記載のレンズユニット。
【請求項４】
前記筒部に対して前記内周面には、径方向内側に向かって突出する複数の調芯用突出部を備え、
前記調芯用突出部が前記遮光板の外周面と当接していることを特徴とする請求項１から３までのいずれかに記載のレンズユニット。
【請求項５】
前記変形部は、物体側から像側に向かって切り欠かれた円周状のスリットであることを特徴とする請求項１から４までのいずれかに記載のレンズユニット。
【請求項６】
前記変形部は、外周面の物体側部分が切り欠かれた円周状の段差部であることを特徴とする１から４までのいずれかに記載のレンズユニット。
【請求項７】
前記変形部は、外周面から径方向内側に切り欠かれた複数の切欠部であることを特徴とする請求項１から４までのいずれかに記載のレンズユニット。
【請求項８】
前記遮光板は、前記鏡筒の内部で光束を絞るための絞りであることを特徴とする請求項１から７までのいずれかに記載のレンズユニット。
【請求項９】
前記絞りは、金属からなることを特徴とする請求項８に記載のレンズユニット。
【請求項１０】
前記遮光板は、不要な光を遮光するための遮光シートであることを特徴とする請求項１から７までのいずれかに記載のレンズユニット。
【請求項１１】
レンズユニットのレンズを収容する鏡筒の筒部にレンズ間に挟まれて配置される遮光板であって、外周部分に、前記筒部に収容された際に前記筒部の内周面との当接状況に応じて変形する変形部を備えることを特徴とする遮光板。
【発明の詳細な説明】
【技術分野】
【０００１】
本発明は、遮光板およびレンズユニットに係り、例えば、複数のレンズとともにレンズ間に配置されて保持される遮光板及びそのような複数のレンズと遮光板とを鏡筒に保持するレンズユニットに関する。
【背景技術】
【０００２】
複数のレンズを鏡筒の内部に積み重ねる構成のレンズユニットが知られている。このようなレンズユニットにおいて、レンズとレンズの間に遮光や絞りのための遮光板が用いられることがある。近年、レンズユニットの高性能化が求められており、遮光板に関しても高い精度の組み付けが必要となっている。そのような要望に対応するために、各種の技術が提案されている。例えば、遮光板に付勢手段を設け、レンズ間に配置されたときに、遮光板を動かないようにした技術がある（例えば特許文献１参照）。特許文献１に開示の技術によると、遮光板が位置ズレすることを防止でき、所望の遮光性能を実現している。
【先行技術文献】
【特許文献】
【０００３】
【特許文献１】特開２０１６−１９１７４２号公報
【発明の概要】
【発明が解決しようとする課題】
【０００４】
ところで、鏡筒に保持されるレンズがプラスチックレンズの場合、それらレンズは鏡筒の筒部内に圧入固定される。これらの圧入固定による嵌合は、プラスチックレンズの外径に鏡筒の筒部の内径をあわせる調整を行う方法を用いる。このため、プラスチックレンズの外径が全ての基準となる。したがって、遮光板等のようにレンズ間に配置される部材もその影響を受ける部品となる。場合によっては、レンズの外径に追従するために、再作の可能性が発生する。一般に、プラスチックレンズの外径が判明しなければ、遮光板の外径も決定できない。嵌合径が小さくなると遮光板は撓み、歪みが発生し、大きくなるとガタが発生する。レンズ外径が決定してから遮光板を用意すると、納期対応がシビアになることから、短納期で対応するために幾つかの寸法を想定し、幾つかの水準品を準備しておく必要があり、結果的には使用しないで水準品は無駄になるという課題があり、レンズの外径に追従することができる技術が求められていた。
【０００５】
本発明は、上記の状況に鑑みなされたものであって、複数のレンズとレンズ間に配置される遮光板を保持する鏡筒とを備えるレンズユニットにおいて、レンズの外径に追従可能な遮光板を実現する技術を提供することを目的とする。
【課題を解決するための手段】
【０００６】
本発明のレンズユニットは、複数のレンズと、前記複数のレンズにおけるレンズ間に挟まれて配置された遮光板と、前記複数のレンズおよび前記遮光板とを光軸方向において物体側から像側に向かって収容する筒部を備えた鏡筒と、を有し、前記遮光板の外周部分には、前記遮光板が前記筒部に収容された際に前記筒部の内周面との当接状況に応じて変形する変形部を備える。遮光板として、例えば、絞りや遮光シートがある。遮光板に、レンズの外径に追従可能な機能として、変形部を設けたことで、遮光板が鏡筒の筒部に収容された際のガタまたは撓みによる歪みを吸収することができる。すなわち、外径の異なる複数の遮光板を用意する必要がなく、作業性の改善、低コスト化を図ることができる。また、遮光板を鏡筒に組み込む際に、ずれが生じた場合でも、変形部が変形してずれを吸収するため、レンズ性能への悪影響を排除でき、より性能の高いレンズユニットを実現できる。
【０００７】
前記遮光板に対して物体側で隣り合うレンズは、外周面の像側部分が、圧入状態において前記筒部の前記内周面と離間している形状であってもよい。遮光板に対して物体側で隣り合うレンズにおいて、このような離間した形状を有することで、変形部が物体側に変形した際の逃げとなる空間を確保することができる。すなわち、変形した変形部が、物体側で隣り合うレンズに干渉することがないため、そのレンズは、遮光板によってズレることなく筒部に収納される。
【０００８】
前記変形部は、前記遮光板に対して物体側で隣り合うレンズの像側の面に形成された載置面よりも径方向外側で形成されてもよい。複数のレンズと遮光板を鏡筒に収容する場合、遮光板は、物体側で隣り合うレンズと像側で隣り合うレンズとの間に挟まれる。一般に、物体側で隣り合うレンズの像側フランジ面に設けられた載置面が、遮光板を介して、像側で隣り合うレンズの物体側のフランジ面の平坦部に載置される。このとき、載置面と平坦部とが挟む領域で遮光板に変形等があると、物体側のレンズにズレ等が生じる。しかし、変形部が、遮光板と物体側で隣り合うレンズの載置面より径方向外側で形成されているため、筒部に遮光板を収容した際に変形した変形部の上に物体側で隣り合うレンズの載置面が載置されることはない。したがって、物体側のレンズの位置が変形部によってずれてしまうことを防止できる。
【０００９】
前記筒部の前記内周面には、径方向内側に向かって突出する複数の調芯用突出部を備え、前記調芯用突出部が前記遮光板の外周面と当接してもよい。変形部は、調芯用突出部と当接する部分で変形するため、容易に筒部内に収容することができる。また、変形部の変形領域が過度に増えないため、遮光板と隣り合うレンズの変形部に起因する位置ズレ等の発生をさらに抑制することができる。
【００１０】
前記変形部は、物体側から像側に向かって切り欠かれた円周状のスリットであってもよい。円周状に設けているため、周方向でどのような位置であっても、同じように変形すことができる。
【００１１】
前記変形部は、外周面の物体側部分が切り欠かれた円周状の段差部であってもよい。
【００１２】
前記変形部は、外周面から径方向内側に切り欠かれた複数の切欠部であってもよい。切り欠き部の数に限定はないが、筒分の内周面に調芯用突出部が設けられる構成の場合には、調芯用突出部の同数とすることで、バランスのよく変形部を変形させることができる。
【００１３】
前記遮光板は、前記鏡筒の内部で光束を絞るための絞りであってもよい。
【００１４】
前記絞りは、金属からなってもよい。
【００１５】
前記遮光板は、不要な光を遮光するための遮光シートであってもよい。不必要な光とは、散乱光・錯乱光等のような光である。遮光シートは、このような光が受光部（受光センサー等）へ入射することを防止する。
【００１６】
本発明は、レンズユニットのレンズを収容する鏡筒の筒部にレンズ間に挟まれて配置される遮光板であって、外周部分に、前記筒部に収容された際に前記筒部の内周面との当接状況に応じて変形する変形部を備える。
【発明の効果】
【００１７】
本発明によれば、複数のレンズとレンズ間に配置される遮光板を保持する鏡筒とを備えるレンズユニットにおいて、遮光板に、レンズの外径に追従可能な機能として、変形部を設けたことで、遮光板が鏡筒の筒部に収容された際にガタまたは撓みによる歪みが発生した場合でもそれらを吸収することができる。
【図面の簡単な説明】
【００１８】
【図１】実施形態に係る、レンズユニットの全体を示す図である。
【図２】実施形態に係る、鏡筒の縦断面図である。
【図３】実施形態に係る、鏡筒の第２筒部の内周面を示した横断面図である。
【図４】実施形態に係る、絞りを示した図である。
【図５】実施形態に係る、絞りが第２筒部に配置された状態を示した断面図である。
【図６】実施形態に係る、図５の領域Ａ３を拡大して示した図である。
【図７】実施形態の変形例に係る、絞りを示した図である。
【発明を実施するための形態】
【００１９】
以下、発明を実施するための形態（以下、「実施形態」という）を、図面を参照しつつ説明する。
【００２０】
以下、本実施形態に係るレンズユニット１を図面を参照して説明する。レンズユニット１は、広角レンズ（レンズ群２）を備え、車載監視カメラ、監視カメラ、ドアホン等に組み込まれるレンズアッシである。以下の実施形態における「光軸方向」とは光軸Ｌに平行する方向をいい、「物体側」および「像側」とは、光軸Ｌ方向における物体側Ｌ１および像側Ｌ２をいう。
【００２１】
（レンズユニットの全体構成）
図１は本実施形態に係るレンズユニット１を示し、図１（ａ）の物体側Ｌ１から見た斜視図であり、図１（ｂ）は縦断面図である。図２は鏡筒３の縦断面図であり、図１（ｂ）からレンズ群２を省いたものである。図３は鏡筒３の横断面図であり、図３（ａ）は図２の位置Ｘ１−Ｘ１に対応する断面図であり、図３（ｂ）は図３（ａ）の領域Ａ３を拡大した図である。
【００２２】
図示のように、レンズユニット１は、広角レンズを構成するレンズ群２と、レンズ群２を収容する鏡筒３とを備える。
【００２３】
（レンズの構成）
レンズ群２は、各々、周端縁が円形である円盤状をしており、同軸に並べて配置されており、全体でレンズ機能を実現している。具体的には、レンズ群２は、物体側Ｌ１から順に、第１レンズ２１、第２レンズ２２、第３レンズ２３、第４レンズ２４、第５レンズ２５及び第６レンズ２６とから構成されている。第５レンズ２５と第６レンズ２６は接合されており、接合レンズ２７を構成している。第４レンズ２４は、樹脂製のレンズホルダ４に保持されている。第６レンズ２６より像側Ｌ２には、鏡筒３の像側Ｌ２の開口を塞ぐように赤外線フィルタ９１が取りつけられ、さらにそれより像側Ｌ２には受光センサー（図示せず）が配置される。
【００２４】
第２レンズ２２と第３レンズ２３の間には、遮光板５０として略円盤状の遮光シート５１が配置されている。第３レンズ２３と第４レンズ２４の間には、遮光板５０として略円盤状の絞り５２が配置されている。遮光シート５１は、散乱光・錯乱光等のような不要な光が赤外線フィルタ９１より像側Ｌ２に配置される受光センサー（図示せず）へ入射してしまうことを防止する。絞り５２は、鏡筒３の内部での光束を絞るために用いられる。
【００２５】
レンズ群２は、物体側Ｌ１から像側Ｌ２に向けて鏡筒３に収容されることから、第１レンズ２１、第２レンズ２２、第３レンズ２３、第４レンズ２４（ただし、レンズホルダ４に保持された状態である）、第５レンズ２５及び第６レンズ２６の順で外径が徐々に小さくなっている。第１〜第５レンズ２１〜２５は、各々、ガラスレンズまたはプラスチックレンズからなる。本構成では、第１レンズ２１及び第４レンズ２４がガラスレンズで、第２、３、５、６レンズ２２、２３、２５、２６がプラスチックレンズであるが、これらに限定する趣旨ではない。
【００２６】
（鏡筒の構成）
鏡筒３は樹脂成形品であって、レンズ群２を収容するレンズ室として第１筒部３１と第２筒部３２とを備える。具体的には、鏡筒３には、レンズ群２を構成する各レンズの外周面に沿いながら像側Ｌ２に向かって内周面６０（レンズ室）が形成されている。ここでは、物体側Ｌ１の第１筒部３１と像側Ｌ２の第２筒部３２とが、それらの内周面（すなわちレンズ室）を連通して形成されている。
【００２７】
第１筒部３１の第１筒部内周面６１には第１レンズ２１が配置される。第２筒部３２の第２筒部内周面６２には、第２〜第６レンズ２２〜２６が配置される。第１筒部３１の第１筒部内周面６１の像側Ｌ２の端部と、第２筒部３２の第２筒部内周面６２の物体側Ｌ１の端部は段差状に繋がっている。
【００２８】
第２筒部３２には、像側Ｌ２から物体側Ｌ１に向かって所定深さで肉抜きした円周溝４９が、第２筒部３２の第２筒部内周面６２を囲むように環状に形成されている。
【００２９】
第１筒部３１の像側Ｌ２の端部、すなわち、第１筒部３１と第２筒部３２とが連結する領域には、第１筒部３１の内周面側の環状の領域である平坦面６３と、平坦面６３より光軸Ｌ側（すなわち径方向内側）において物体側Ｌ１に膨出する凸部６４が形成されている。
【００３０】
Ｏリングからなるシール部材７が環状凹部６３に嵌め込まれた後に、第１レンズ２１が凸部６４に載置され、光軸方向の位置決めがなされる。その後に、第１筒部３１の物体側Ｌ１の端部に形成されたカシメ部３８により第１レンズ２１の外周縁部分が固定される。
【００３１】
第２筒部３２の像側Ｌ２側には、第２筒部内周面６２より小径であって第６レンズ２６が収容される第６レンズ収容部６９が形成されている。第６レンズ収容部６９の像側Ｌ２の端には、上述した開口６９ａが形成されている。
【００３２】
第２筒部３２の第２筒部内周面６２には、例えば図２や図３に示すように、周方向に等間隔で１２個の調芯用突出部８０が径方向内側に凸状（膨出した形状）で形成されている。調芯用突出部８０に、レンズ群２を構成するレンズのうち、第２〜第５レンズ２２〜２５が圧入（一般には軽圧入）され、かつ、それらの外周面が第２筒部３２の内周面６２（調芯用突出部８０）に支持されることにより径方向に位置決めされている。接合レンズ２７の接合レンズ素子である第５レンズ２５及び第６レンズ２６において、上述のように第５レンズ２５は第２筒部内周面６２に圧入状態にあるが、第６レンズ２６は、第６レンズ収容部６９に対して非接触状態にある。
【００３３】
また、遮光板５０である遮光シート５１や絞り５２も、それらの外周面が調芯用突出部８０に当接するように配置される。
【００３４】
第２レンズ２２〜第６レンズ２６及び遮光板５０（遮光シート５１や絞り５２）が第２筒部内周面６２に圧入され後、第２レンズ２２の物体側Ｌ１の外周縁部分が第２筒部３２の物体側内周面の端部に設けられたカシメ部３９に係止される。
【００３５】
（遮光板の特徴）
上述のように、レンズ群２の第２レンズ２２〜第６レンズ２６が鏡筒３の第２筒部３２に配置される際に、遮光板５０（遮光シート５１、絞り５２）がレンズ間に挟まれる。第２レンズ２２〜第６レンズ２６の圧入固定による嵌合は、それらプラスチックレンズの外径（第４レンズ２４は、樹脂製のレンズホルダ４の外径）に合わせて鏡筒３の第２筒部３２の内径を調整することで、適切な圧による固定が実現される。すなわち、プラスチックレンズの外径が全ての基準となる。基準が定まってから遮光板５０を手配すると、迅速な納期対応が難しくなる。そこで、本実施形態では、遮光板５０にレンズの外径に追従するための機能を持たせている。
【００３６】
以下、図４〜図７を参照して、遮光板５０として第３レンズ２３と第４レンズ２４（レンズホルダ４）の間に配置される絞り５２について詳細に説明するが、第２レンズ２２と第３レンズ２３の間に配置される遮光シート５１についても同様の機能を適用させることができる。
【００３７】
図４は絞り５２を示した図であり、図４（ａ）は斜視図、図４（ｂ）は断面斜視図、図４（ｃ）は図４（ｂ）の領域Ａ３を拡大した図である。図５は図１（ｂ）の領域Ａ１を拡大したものであって、第２筒部３２に圧入状態にある第３レンズ２３と第４レンズ２４（レンズホルダ４）とに挟まれた絞り５２を示す。図６は図５の領域Ａ３を拡大したものであって、絞り５２の変形部５２４の変形状態を詳細に示した図である。
【００３８】
絞り５２は円盤状であって、中心に絞り開口部５２３が形成されている。絞り５２は、例えばリン青銅のような金属素材やポリエステル等の樹脂素材から成り、厚さは３０〜５０μｍである。絞り５２の外周部分には、変形部５２４が形成されている。より具体的には、変形部５２４は、絞り５２の絞り物体側面５２１の外周部分に、物体側Ｌ１（絞り物体側面５２１）から像側Ｌ２（絞り像側面５２２）に向かって切り欠かれた円周状のスリットとして形成されている。スリットは、例えばエッチング加工により形成される。絞り５２が金属素材の場合、樹脂素材と比較して強度があるため、圧入部分だけで変形することが難しいため、特に変形部５２４のような形状が必要となる。
【００３９】
絞り５２が第２筒部３２に収容された際に、図３（ｂ）や図５、６に示すように、絞り外周面５２６（図３（ｂ）では２点破線で示している。）が第２筒部内周面６２に形成された調芯用突出部８０に当接する。絞り５２は、図６の破線に示すように、第２筒部内周面６２（調芯用突出部８０）の径より大きいため、絞り５２を第４レンズ２４の上に配置しようとすると、図６の実線で示すように、絞り５２の絞り外周面５２６と調芯用突出部８０との当接の抵抗により、変形部５２４が屈曲して、変形部５２４より外径側の外周部分５２５が斜めになる。
【００４０】
このとき、絞り５２の外径と第２筒部３２の内径の相対関係に応じて、調芯用突出部８０と絞り外周面５２６の当接状態が変化する。すなわち、相対的に絞り５２の外径が大きいと、変形部５２４の曲がりが大きくなる。このように、レンズ外径に追従可能な機能として、変形部５２４を設けたことで、絞り５２が第２筒部３２に収容された際のガタまたは撓みによる歪みを吸収することができる。
【００４１】
また、変形部５２４は、調芯用突出部８０と当接する部分のみが変形しているため、他の部分で抵抗が生じず容易に第２筒部３２に収容することができる。また、変形部５２４の変形領域が過度に増えないため、絞り５２と隣り合う第３レンズ２３における変形部５２４に起因する位置ズレ等の発生をさらに抑制することができる。
【００４２】
絞り５２と物体側Ｌ１で隣り合う第３レンズ２３では、外周面上側の外周面物体側部２３１が第２筒部内周面６２（調芯用突出部８０）に圧入状態にあり、外周面下側の外周面像側部２３２は像側Ｌ２に進むにつれて内径側に傾く傾斜面となっている。すなわち、外周面像側部２３２は、絞り５２の位置では、第２筒部内周面６２の調芯用突出部８０に対して離間している。その結果、絞り５２の外周部分５２５より物体側Ｌ１には、一定の空間が形成される。この空間は、変形部５２４が屈曲して外周部分５２５が上に向いた場合にその外周部分５２５を収容する逃げ空間６８として機能する。なお、逃げ空間６８を構成する第３レンズ２３の外周面は、傾斜面の他に、径方向内側に凹んだ段部であってもよい。
【００４３】
このような逃げ空間６８を有することで、変形部５２５が屈曲して物体側Ｌ１に向いた部分（すなわち外周部分５２５）が生じても、物体側Ｌ１で隣り合う第３レンズ２３に干渉することがない。その結果、第３レンズ２３は、絞り５２の影響を受けてズレることなく第２筒部３２に収納される。
【００４４】
また、第３レンズ２３が第４レンズ２４（レンズホルダ４）に載置されるときに、レンズホルダ４の物体側Ｌ１の面に形成された物体側平坦部４ａに、第３レンズ２３のフランジ部分の像側Ｌ２に形成された載置面２３ａが載置される。物体側平坦部４ａと載置面２３ａとで光軸方向の位置合わせがなされる。絞り５２は、物体側平坦部４ａと載置面２３ａに挟まれることになるが、変形部５２４は、載置面２３ａよりも径方向外側で形成されている。したがって、変形部５２４が屈曲する際に、第３レンズ２３の載置面２３ａによって妨げられることがない。載置面２３ａと物体側平坦部２４ａとが挟む領域、より具体的には載置面２３ａの下側の位置において、変形部５２４による変形等があると、物体側Ｌ１の第３レンズ２３にズレ等が生じるが、そのような不具合を防止できる。
【００４５】
（遮光板の変形例）
図７は変形例の遮光板５０を２例示している。図７（ａ）で示す絞り５２Ａでは、上述の変形部５２４の代わりに、絞り外周面５２６から径方向内側に所定長だけ切り欠かれた切欠部５２４Ａが等間隔で１２箇所に形成されている。切欠部５２４Ａの数に限定はないが、調芯用突出部８０が設けられる構成の場合には、調芯用突出部８０の同数とすることで、バランスのよく切欠部５２４Ａ（より詳しくは切欠部５２４Ａより径方向外側の領域）を変形させることができる。また、ポリエステル等の樹脂素材からなる遮光板５０に変形部を形成する場合、実施形態のスリットからなる変形部５２４よりも切欠部５２４Ａの方が一般的に形成しやすい。
【００４６】
図７（ｂ）で示す絞り５２Ｂでは、外周部分の像側Ｌ２が所定幅Ｔ１で円周状の段差部５２４Ｂとして形成されている。段差上に取り除かれた部分は、変形（レンズ外径への追従）の観点において、絞り５２Ｂの厚さの１／２またはそれ以下が望ましい。また、ポリエステル等の樹脂素材からなる遮光板５０に変形部を形成する場合、実施形態のスリットからなる変形部５２４よりも段差部５２４Ｂの方が一般的に形成しやすい。
【００４７】
本実施形態の特徴を纏めると次の通りである。なお、実施形態と変形例で共通する構成については、実施形態の構成で代表し説明する。
レンズユニット１は、第１〜第６レンズ２１〜２６で構成されるレンズ群２と、レンズ群２におけるレンズ間（第３レンズ２３と第４レンズ２４（レンズホルダ４））に挟まれて配置された遮光板５０（ここでは絞り５２）と、レンズ群２および遮光板５０（絞り５２）とが、光軸方向において物体側Ｌ１から像側Ｌ２に向かって収容する筒部３０（第１筒部３１、第２筒部３２）を備えた鏡筒３と、を有する。遮光板５０（絞り５２）の外周部分には、筒部３０（ここでは第２筒部３２）に収容された際に内周面６０（第２筒部内周面６２）との当接状況に応じて変形する変形部５２４を備える。遮光板５０（絞り５２）に、レンズ外径に追従可能な機能として、変形部５２４を設けたことで、遮光板５０（絞り５２）が鏡筒３の筒部３０（第２筒部３２）に収容された際のガタまたは撓みによる歪みを吸収することができる。
【００４８】
遮光板５０（絞り５２）に対して物体側Ｌ１で隣り合うレンズ（第３レンズ２３）は、外周面の像側部分（外周面像側部２３２）が、圧入状態において筒部３０の内周面６０（第２筒部内周面６２）と離間している形状であってもよい。遮光板５０に対して物体側Ｌ１で隣り合うレンズにおいて、このような離間した形状を有することで、変形部５２４が物体側Ｌ１に変形した際の逃げとなる空間を確保することができる。すなわち、変形した変形部５２５が、物体側Ｌ１で隣り合うレンズに干渉することがないため、そのレンズは、ズレることなく筒部３０に収納される。
【００４９】
変形部５２４は、遮光板５０（絞り５２）に対して物体側Ｌ１で隣り合うレンズ（第３レンズ２３）の像側Ｌ２の面に形成された載置面２３ａよりも径方向外側で形成されている。例えば、遮光板５０である絞り５２と物体側Ｌ１で隣り合う第３レンズ２３の像側フランジ面に設けられた載置面２３ａが、絞り５２を介して、像側Ｌ２に隣り合う第４レンズ２４の物体側フランジ面の平坦部（ここでは、レンズホルダ４の物体側平坦部２４ａ）に載置される。変形部５２４が、絞り５２と物体側Ｌ１で隣り合う第３レンズ２３の載置面２３ａより径方向外側で形成されているため、第２筒部３２に絞り５２を収容した際に変形した変形部５２４の上に物体側Ｌ１で隣り合う第３レンズ２３の載置面２３ａが載置されることはなく、物体側Ｌ１の第３レンズ２３の位置が変形部５２４によってずれてしまうことを抑制できる。
【００５０】
筒部３０の内周面６０（第２筒部３２の第２筒部内周面６２）には、径方向内側に向かって突出する複数の調芯用突出部８０が備わる。変形部５２４は、調芯用突出部８０と当接する部分のみが変形しているため、容易に第２筒部３２に収容することができる。また、変形部５２４の変形領域が過度に増えないため、絞り５２と隣り合う第３レンズ２３における変形部５２４に起因する位置ズレ等の発生をさらに抑制することができる。
【００５１】
変形部５２４は、物体側Ｌ１から像側Ｌ２に向かって切り欠かれた円周状のスリットである。なお、変形例に示すように、変形部５２４は、外周面（５２６）の物体側部分が切り欠かれた円周状の段差部５２４Ｂや、外周面から径方向内側に切り欠かれた複数の切欠部５２４Ａであってもよい。
【００５２】
以上、本発明を、実施の形態をもとに説明したが、この実施の形態は例示であり、それらの各構成要素の組み合わせ等にいろいろな変形例が可能なこと、またそうした変形例も本発明の範囲にあることは当業者に理解されるところである。例えば、絞り５２の変形部５２４の形状として、上述の構成では、物体側Ｌ１の形状で対応させたが、像側Ｌ２に対応する形状を設けてもよい。例えば、絞り５２の外周部分の像側Ｌ２をテーパー状にエッチング加工してもよい。
【符号の説明】
【００５３】
１  レンズユニット
２  レンズ群
３  鏡筒
４  レンズホルダ
４ａ  物体側平坦部
７  シール部材
２１  第１レンズ
２２  第２レンズ
２３  第３レンズ
２３ａ  載置面
２４  第４レンズ
２５  第５レンズ
２６  第６レンズ
２７  接合レンズ
３０  筒部
３１  第１筒部
３２  第２筒部
３８、３９  カシメ部
４９  円周溝
５０  遮光板
５１  遮光シート（遮光板）
５２、５２Ａ、５２Ｂ  絞り（遮光板）
６０  内周面
６１  第１筒部内周面
６２  第２筒部内周面
６３  平坦面
６４  凸部
６８  逃げ空間
６９  第６レンズ収容部
６９ａ  開口
８０  調芯用突出部
９１  赤外線フィルタ
２３１  外周面物体側部
２３２  外周面像側部
５２１  絞り物体側面
５２２  絞り像側面
５２３  絞り開口部
５２４  変形部
５２４Ａ  切欠部（変形部）
５２４Ｂ  段差部（変形部）
５２５  外周部分
５２６  絞り外周面
Ｌ  光軸
Ｌ１  物体側
Ｌ２  像側
【図１】
2020030387.tif 000003
【図２】
2020030387.tif 000004
【図３】
2020030387.tif 000005
【図４】
2020030387.tif 000006
【図５】
2020030387.tif 000007
【図６】
2020030387.tif 000008
【図７】
2020030387.tif 000009